【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
支持体の片面に無色ないし淡色の電子供与性ロイコ染料と電子受容性顕色剤とを含有する感熱記録層を設け、反対面に粘着層を設けた感熱記録体ラベルであって、該粘着層が下記一般式
【化１】
2012214721.tif 000001
又は下記一般式
【化２】
2012214721.tif 000002
（式中、Ｘ１及びＸ２は、それぞれ独立して、−ＣＨ２−、−Ｃ２Ｈ４−、−ＯＣＨ２−ＣＨ２Ｏ−、−ＯＣＨ２−、−ＣＨ２Ｏ−又は−ＳＯ２−を表し、Ｒ１及びＲ２は、それぞれ独立して、ハロゲン原子、アルキル基、アルケニル基又はアルコキシ基を表し、ｍ及びｎは、それぞれ独立して、０〜３の整数を表し、ｏは０又は１を表す。）で表される化合物を含有することを特徴とする感熱記録体ラベル。
【請求項２】
前記粘着層が含有する粘着剤が熱活性粘着剤である請求項１に記載の感熱記録体ラベル。
【請求項３】
前記熱活性粘着剤の活性温度が５０〜１００℃である請求項２に記載の感熱記録体ラベル。
【請求項４】
前記化合物が一般式（化１）で表され、Ｘ２が−ＣＨ２−、−Ｃ２Ｈ４−又は−ＯＣＨ２−ＣＨ２Ｏ−を表し、Ｒ１及びＲ２が、それぞれ独立して、炭素数が１〜３のアルキル基を表し、ｍ及びｎが１を表し、ｏが０を表す請求項１〜３のいずれか一項に記載の感熱記録体ラベル。
【請求項５】
前記化合物が一般式（化１）で表され、Ｘ１及びＸ２が、それぞれ独立して、−ＯＣＨ２−又は−ＣＨ２Ｏを表し、ｍ及びｎが０を表し、ｏが１を表す請求項１〜３のいずれか一項に記載の感熱記録体ラベル。
【請求項６】
前記化合物が一般式（化１）で表され、Ｘ２が−ＳＯ２−を表し、ｍ、ｎ及びｏが０を表す請求項１〜３のいずれか一項に記載の感熱記録体ラベル。
【請求項７】
前記化合物が一般式（化２）で表され、Ｘ２が−ＯＣＨ２−を表し、ｍ、ｎ及びｏが０を表す請求項１〜３のいずれか一項に記載の感熱記録体ラベル。
【請求項８】
前記粘着層中の前記化合物の含有量が、粘着剤１００重量部に対して５〜４０重量部である請求項１〜７のいずれか一項に記載の感熱記録体ラベル。
【請求項９】
熱活性粘着剤及び下記一般式
【化１】
2012214721.tif 000003
又は下記一般式
【化２】
2012214721.tif 000004
（式中、Ｘ１及びＸ２は、それぞれ独立して、−ＣＨ２−、−Ｃ２Ｈ４−、−ＯＣＨ２−ＣＨ２Ｏ−、−ＯＣＨ２−、−ＣＨ２Ｏ−又は−ＳＯ２−を表し、Ｒ１及びＲ２は、それぞれ独立して、ハロゲン原子、アルキル基、アルケニル基又はアルコキシ基を表し、ｍ及びｎは、それぞれ独立して、０〜３の整数を表し、ｏは０又は１を表す。）で表される化合物から成る熱活性粘着ラベル用粘着組成物。
【請求項１０】
前記熱活性粘着剤の活性温度が５０〜１００℃である請求項９に記載の熱活性粘着組成物。
【請求項１１】
前記熱活性粘着剤が熱可塑性樹脂、固体可塑剤及び粘着付与剤から成り、熱可塑性樹脂：固体可塑剤：粘着付与剤（重量比）＝１５〜４５：４５〜７５：５〜２５である請求項９又は１０に記載の熱活性粘着組成物。
【請求項１２】
前記化合物が一般式（化１）で表され、Ｘ２が−ＣＨ２−、−Ｃ２Ｈ４−又は−ＯＣＨ２−ＣＨ２Ｏ−を表し、Ｒ１及びＲ２がそれぞれ独立して、炭素数が１〜３のアルキル基を表し、ｍ及びｎが１を表し、ｏが０を表す請求項９〜１１のいずれか一項に記載の粘着組成物。
【請求項１３】
前記化合物が一般式（化１）で表され、Ｘ１及びＸ２が、それぞれ独立して、−ＯＣＨ２−又は−ＣＨ２Ｏを表し、ｍ及びｎが０を表し、ｏが１を表す請求項９〜１１のいずれか一項に記載の粘着組成物。
【請求項１４】
前記化合物が一般式（化１）で表され、Ｘ２が−ＳＯ２−を表し、ｍ、ｎ及びｏが０を表す請求項９〜１１のいずれか一項に記載の粘着組成物。
【請求項１５】
前記化合物が一般式（化２）で表され、Ｘ２が−ＯＣＨ２−を表し、ｍ、ｎ及びｏが０を表す請求項９〜１１のいずれか一項に記載の粘着組成物。
【請求項１６】
前記熱活性粘着ラベル用粘着組成物中の前記化合物の含有量が、粘着剤１００重量部に対して５〜４０重量部である請求項９〜１５のいずれか一項に記載の粘着組成物。
【手続補正２】
【補正対象書類名】明細書
【補正対象項目名】０００６
【補正方法】変更
【補正の内容】
【０００６】
本発明者等は、上記問題を解決するために、粘着層に、従来感熱記録層に増感剤として使用されていた化合物を添加して、耐減感性、粘着持続性、耐ブロッキング性を検討した結果、粘着層に特定の化合物を含有させると、感熱記録体ラベルが十分な耐減感性、粘着持続性と耐ブロッキング性を有することを見出し、本発明を完成させるに至った。
即ち、本発明は、支持体の片面に無色ないし淡色の電子供与性ロイコ染料と電子受容性顕色剤とを含有する感熱記録層を設け、反対面に粘着剤を含有する粘着層を設けた感熱記録体ラベルであって、該粘着層が下記一般式
【化１】
2012214721.tif 000005
又は下記一般式
【化２】
2012214721.tif 000006
（式中、Ｘ１及びＸ２は、それぞれ独立して、−ＣＨ２−、−Ｃ２Ｈ４−、−ＯＣＨ２−ＣＨ２Ｏ−、−ＯＣＨ２−、−ＣＨ２Ｏ−又は−ＳＯ２−を表し、Ｒ１及びＲ２は、それぞれ独立して、ハロゲン原子、アルキル基、アルケニル基又はアルコキシ基を表し、ｍ及びｎは、それぞれ独立して、０〜３の整数を表し、ｏは０又は１を表す。）で表される化合物を含有することを特徴とする感熱記録体ラベルである。
更に、本発明は、熱活性粘着剤及び下記一般式
【化１】
2012214721.tif 000007
又は下記一般式
【化２】
2012214721.tif 000008
（式中、Ｘ１及びＸ２は、それぞれ独立して、−ＣＨ２−、−Ｃ２Ｈ４−、−ＯＣＨ２−ＣＨ２Ｏ−、−ＯＣＨ２−、−ＣＨ２Ｏ−又は−ＳＯ２−を表し、Ｒ１及びＲ２は、それぞれ独立して、ハロゲン原子、アルキル基、アルケニル基又はアルコキシ基を表し、ｍ及びｎは、それぞれ独立して、０〜３の整数を表し、ｏは０又は１を表す。）で表される化合物から成る熱活性粘着ラベル用粘着組成物(以下「粘着組成物」ともいう。)である。
【手続補正３】
【補正対象書類名】明細書
【補正対象項目名】００１１
【補正方法】変更
【補正の内容】
【００１１】
本発明の粘着層又は粘着組成物中の上記添加剤の含有量は、後記の粘着剤１００重量部に対して好ましくは５〜４０重量部、より好ましくは１０〜３０重量部である。５重量部未満であると効果が十分に発現しないことがあり、４０重量部を超えると相対的に粘着剤の配合量が低下し、被着体に対する十分な粘着力を得られないことがある。
【手続補正４】
【補正対象書類名】明細書
【補正対象項目名】００１２
【補正方法】変更
【補正の内容】
【００１２】
本発明の粘着層又は粘着組成物が含有する粘着剤として、従来ラベル用として使用される公知の粘着剤を使用することができる。この粘着剤には主に、常温で粘着性を発揮するもの（常温粘着剤）と、常温では粘着性を発揮せず、加熱することにより粘着性を発揮するもの（ホットメルト粘着剤、熱活性粘着剤（ディレードタック型粘着剤））があり、本願発明の感熱記録体ラベルにおいてはいずれの粘着剤を使用してもよいが、剥離紙などを使用する必要がないことや本願発明の添加剤の効果が大きいことなどから、本発明においては熱活性粘着剤を使用することが好ましい。